(57)【特許請求の範囲】
【請求項１】
既設の黒板その他の壁面固定型ボードを改修するに当たって多機能化するための方法であって、
前記壁面固定型ボードの上に再塗装し又は元のボードと同じ若しくはより多機能化したボードを貼り付けてメインボードを形成し、前記メインボードの前面に、前記メインボードよりも横幅が狭く且つ前記メインボードに対して横方向に移動可能であって、使用時に前記メインボード上の任意の位置に移動させて使用することが可能な、ホワイトボード、スクリーン又は電子ボードのうちの１又は複数の機能を備えたサブボードを配置することを特徴とする、壁面固定型ボードの多機能化改修方法。
【請求項２】
前記サブボードの前記メインボード上への配置は、前記壁面固定型ボードの本体枠の上枠及び下枠に沿ってガイドレールを取り付け、前記サブボードに、前記上下のガイドレールに係合して転動又は摺動するレール係動手段を備え付け、前記サブボードを、前記レール係動手段を前記ガイドレールに係合させて設置することにより行う、請求項１に記載の壁面固定型ボードの多機能化改修方法。
【請求項３】
前記レール係動手段は、自在支点型の転動ホイールとする、請求項２に記載の壁面固定型ボードの多機能化改修方法。
【請求項４】
前記転動ホイールは、前記サブボードの横幅方向中央よりに取り付ける、請求項３に記載の壁面固定型ボードの多機能化改修方法。
【請求項５】
前記サブボードに、前記サブボードを所望位置にて固定状態にする移動阻止用ストッパーを設置する、請求項１に記載の壁面固定型ボードの多機能化改修方法。
【請求項６】
前記メインボードを磁性体製とし、前記サブボードの裏面にマグネット素材を配して前記メインボード上の任意の位置に磁着可能にする、請求項１に記載の壁面固定型ボードの多機能化改修方法。
【請求項７】
前記メインボードにマグネット素材を配し、前記サブボードの裏面を磁性体製として前記メインボード上の任意の位置に磁着可能にする、請求項１に記載の壁面固定型ボードの多機能化改修方法。
【請求項８】
前記壁面固定型ボードのの本体枠又は前記サブボードの枠に、プロジェクター取付用アームを設置する、請求項１に記載の壁面固定型ボードの多機能化改修方法。
【請求項９】
前記壁面固定型ボードの本体枠又は前記サブボードの枠に、専用の電子マーカーペンと組み合わせて用い、前記電子マーカーペンの動きを電子データとしてパソコンに送信するホワイトボードレコーダを組み込む、請求項１に記載の壁面固定型ボードの多機能化改修方法。
【請求項１０】
前記より多機能化したボードは、研ぎ出し加工、焼き付け加工等により筆記面を形成するに当たり、その筆記面を薄いグレー、グリーン、ブルー、ベージュ又はピンクのいずれかとすると共に、表面粗さをチョーク及びマーカーの使用及びその払拭に適した範囲、即ち、ＪＩＳ  Ｂ  ０６０１表面粗さの規格における最大高さＲｙの範囲を、基準長さ２．５ｍｍにおいて４．９乃至１０．５μｍに設定したものである、請求項１に記載の壁面固定型ボードの多機能化改修方法。
【発明の詳細な説明】
【技術分野】
【０００１】
本発明は、既設の黒板等の多機能化改修方法、より詳細には、学校等の教育機関や関連施設、あるいは、一般企業等で使用されて老朽化した黒板又はホワイトボードを、簡単な方法で改修して多機能化する、既設の黒板等の多機能化改修方法多機能ボードに関するものである。
【背景技術】
【０００２】
世界の情報化社会の発展進化に伴い、学校などの教育現場や企業の研修室などでの表現形式として用いられてきた、チョーク書き込み式黒板やマーカー書き込み式白板（ホワイトボード）の旧来の形態から、情報の表現方式に対する時代の要求として電子黒板（電子ボード）による表現方式の要求の高まりが強くなってきている。
【０００３】
また、黒板等は、学校等において毎日のように使用されるものであり、表面の摩耗は不可避であるため、一定の間隔（例えば８〜１０年）でメンテナンスが必要となる。そのメンテナンス方法としては、黒板全体を取り換える方法、黒板面を再塗装する方法、既設の黒板の上に新たな黒板を貼り付ける方法等が考えられる。
【０００４】
このうち、黒板全体を取り換える方法の場合には、古い黒板を取り外し、新たな黒板を当該黒板設置場所に搬入する必要があるが、学校等で用いる黒板は大きく、黒板面が鋼製等でその裏に地板、裏桟等が存するためにかなり重いものとなり、搬送や設置作業が容易ではないという問題がある。
【０００５】
そこで、既設の黒板を生かし、黒板面を再塗装したり、既設の黒板上に新たな黒板を貼り付ける方法を採ることが多い。しかし、それらの方法の場合、改修といっても、従来の黒板以上の何らかの機能が付加される訳ではなく、従来の黒板の域を出るものではない。
【０００６】
【特許文献１】特許第３９５０８３７号公報
【特許文献２】特開２００２−１１９９７号公報
【特許文献３】特開平１１−１２８０３４号公報
【発明の開示】
【発明が解決しようとする課題】
【０００７】
上述したように、従来の既設の黒板を生かしての黒板の改修方法の場合は、改修に伴って黒板以上の何らかの新たな機能が付加される訳ではなく、改修後も従来の黒板の域を出るものではなかった。そこで本発明は、簡易な方法にて、既設の黒板やホワイトボード等を改修することができ、しかもその改修に際し、格別のコスト増を伴うことなく、既設の黒板やホワイトボード等にはなかった新たな機能を付加することができてその使用価値を高めることができる、既設の黒板等の多機能化改修方法を提供することを課題とする。
【課題を解決するための手段】
【０００８】
上記課題を解決するための請求項１に記載の発明は、既設の黒板その他の壁面固定型ボードを改修するに当たって多機能化するための方法であって、前記壁面固定型ボードの上に再塗装し又は元のボードと同じ若しくはより多機能化したボードを貼り付けてメインボードを形成し、前記メインボードの前面に、前記メインボードよりも横幅が狭く且つ前記メインボードに対して横方向に移動可能であって、使用時に前記メインボード上の任意の位置に移動させて使用することが可能な、ホワイトボード、スクリーン又は電子ボードのうちの１又は複数の機能を備えたサブボードを配置することを特徴とする、壁面固定型ボードの多機能化改修方法である。
【０００９】
一実施形態においては、前記サブボードの前記メインボード上への配置は、前記壁面固定型ボードの本体枠の上枠及び下枠に沿ってガイドレールを取り付け、前記サブボードに、前記上下のガイドレールに係合して転動又は摺動するレール係動手段を備え付け、前記サブボードを、前記レール係動手段を前記ガイドレールに係合させて設置することにより行う。
【００１０】
また、一実施形態においては、前記レール係動手段は、自在支点型の転動ホイールとされ、前記転動ホイールは、前記サブボードの横幅方向中央よりに取り付けられ、また、前記サブボードに、前記サブボードを所望位置にて固定状態にする移動阻止用ストッパーが設置される。
【００１１】
また、一実施形態においては、前記メインボードを磁性体製とし、前記サブボードの裏面にマグネット素材を配して前記メインボード上の任意の位置に磁着可能にされる。
【００１２】
また、一実施形態においては、前記メインボードにマグネット素材を配し、前記サブボードの裏面を磁性体製として前記メインボード上の任意の位置に磁着可能にされる。
【００１３】
また、一実施形態においては、前記壁面固定型ボードの本体枠又は前記サブボードの枠に、プロジェクター取付用アームが設置される。
【００１４】
また、一実施形態においては、前記壁面固定型ボードの本体枠又は前記サブボードの枠に、専用の電子マーカーペンと組み合わせて用い、前記電子マーカーペンの動きを電子データとしてパソコンに送信するホワイトボードレコーダが組み込まれる。
【００１５】
好ましい実施形態においては、前記より多機能化したボードは、研ぎ出し加工、焼き付け加工等により筆記面を形成するに当たり、その筆記面を薄いグレー、グリーン、ブルー、ベージュ又はピンクのいずれかとすると共に、表面粗さをチョーク及びマーカーの使用及びその払拭に適した範囲、即ち、ＪＩＳ  Ｂ  ０６０１表面粗さの規格における最大高さＲｙの範囲を、基準長さ２．５ｍｍにおいて４．９乃至１０．５μｍに設定したものとされる。
【発明の効果】
【００１６】
本発明は上述したとおりであって、既設の黒板やホワイトボード等の改修を簡易迅速に行うことができ、しかもその改修に際し、格別のコスト増を伴うことなく、既設の黒板やホワイトボード等にはなかった新たな機能を付加することができてその使用価値を高めることができる効果がある。
【発明を実施するための最良の形態】
【００１７】
以下に、本発明を実施するための最良の形態について説明する。本発明に係る方法においては、既設の黒板等の上に再塗装し又は新たな黒板等を貼り付けてメインボードを形成する。ここで新たに貼り付けるボードは、従来のものと同様のボードであってもよいが、好ましくは、より多機能化して使用用途を広げるために、チョークボード、マーカーボード及びスクリーンの３つの用をなす多目的なメインボードを定着することとする。
【００１８】
この多目的なメインボードとしては、研ぎ出し加工、焼き付け加工等により筆記面を形成するに当たり、その筆記面を薄有色にすると共に、表面粗さをチョーク及びマーカーの使用及びその払拭に適した範囲、即ち、ＪＩＳ  Ｂ  ０６０１表面粗さの規格における最大高さＲｙの範囲を、基準長さ２．５ｍｍにおいて４．９乃至１０．５μｍに設定したものを用いることができ、また、その場合のメインボードの色としては、薄いグレー、グリーン、ブルー、ベージュ又はピンクのいずれかとすることが好ましい。
【００１９】
この多目的ボードは、本願出願人が開発したものであり（特願２００６−２８３６４０）、これによれば、筆記面がスクリーンとしての使用に適する薄有色であって、表面粗さがチョーク及びマーカーの使用及びその払拭に適した範囲であるため、一つの筆記面にてチョークボード、マーカーボード、更にはスクリーンとしての利用が可能となる。
【００２０】
添付図面は本発明に係る方法によって改修して得られた多機能ボードの形態例を示すもので、図１に示すものは、メインボード１と、その前面に配置されて、メインボード１上の任意の位置に移動させることができるサブボード７とから成る。メインボード１として上記多目的ボードを用いる場合は、それだけである程度の多機能化は可能であるが、より一層の多機能化を求める場合、あるいは、メインボード１として一般的なボードを用いる場合には、サブボード７を併設することとする。
【００２１】
メインボード１のボード面１ａは、多くの場合黒板又はホワイトボードであるが、スクリーン、感圧式電子ボード、あるいは、掲示板等とすることもできる。また、サブボード７のボード面７ａの種類も上記メインボード１のボード面１ａの場合と同様であり、両ボード面１ａ、７ａの種類の組合わせを種々選択することができる。メインボード１とサブボード７は、通例異種のものとされるが、同種のものであってもよい。好ましい、ないし、一般的な組合せとしては、メインボード１を黒板又はホワイトボード（あるいは、上記多目的ボード）とし、サブボード７を電子ボード又はスクリーンとすることが考えられる。
【００２２】
本発明に係る方法においては、サブボード７がメインボード１上の任意の位置に移動可能な構成とされる。そのための構成としては、メインボード１の上枠及び下枠に沿ってガイドレール４、５を備え付け、また、サブボード７に上下のガイドレール４、５に係合して転動又は摺動するレール係動手段を取り付け、該レール係動手段をガイドレール４、５に係合させることによってサブボード７を設置することが考えられる。
【００２３】
ガイドレール４、５とこれに対する転動手段又は摺動手段であるレール係動手段の組合わせは種々考えられるが、好ましい、ないし、一般的な組合わせとしては、断面角Ｃ字型のガイドレール４、５に、転動ホイール８を係合させることが考えられる（図２参照）。転動ホイール８は、好ましくは、サブボード７の上枠９及び下枠１０に軸１１を固定し、軸１１の下端に軸１１と共に水平方向に回動自在にしたホイール取付板１２を取り付け、これにホイール１３を設置した、自在支点型のものを用いる。
【００２４】
転動ホイール８は、通例サブボード７の上枠９及び下枠１０にそれぞれ１対又は２対取り付けられるが、その取付位置は、端部ではなく、中央寄りとすることが好ましい（図２（Ａ）、図３等において※印を付した個所がその取付位置を示している。）。これは、上記自在支点型の転動ホイール８を採用することと共に、メインボード１が曲面又は半曲面のボードである場合を考慮したものである。
【００２５】
もし、転動ホイール８として自在支点型のものを用いないとすると、転動ホイール８が、メインボード１の曲面に沿って湾曲するガイドレール４、５に追随して湾曲移動することができないことになり、また、転動ホイール８をサブボード７の両端部に配設したとすると、前方の転動ホイール８は湾曲移動しようとし、後方の転動ホイール８は直線移動しようとするために、サブボード７をスムーズに移動させることが困難となるのである。
【００２６】
また、サブボード７に、ガイドレール４、５の任意の位置に止めてその位置に固定状態にする移動阻止手段を設けることが好ましい。そのためには、例えば、軸１１の上部にストッパー取付板１４を取り付け、これにストッパー１５を設置することとする。ストッパー１５は、下端に緩衝材１６を取り付け、スプリング１７を纏装した抜け止め付きストッパー軸１８を、ストッパー取付板１４に遊挿したものである（図２（Ｂ）参照）。このストッパー１５においては、スプリング１７が常時緩衝材１６を下方に付勢してこれをガイドレール４、５の上面に圧接させるので、その圧接摩擦力によって、サブボード７の横方向への移動が阻止される。サブボード７を移動させる際には、スプリング１７の弾発力に抗してストッパー軸１８を持ち上げて、緩衝材１６をガイドレール４、５の上面から離隔させればよい。
【００２７】
ストッパー１５の構成としては、上記以外にも種々考えられ、例えば、上記ストッパー軸１８をストッパー取付板１４にねじ込むこととし、それを固定時には締め込み、移動時には緩めるという方法も可能である。なお、その場合はスプリング１７は不要となる。
【００２８】
メインボード１は、一般の大型黒板のような壁面固定式の場合が多いが、その両側に、底面にキャスターを備えたスタンド２０を設置した移動式の場合もある（図３参照）。この移動式の場合は、好ましくは、躓き防止のためにスタンド２０は、一般的な逆Ｔ字型のものに代えて、少なくともその下部に、その安定した立直姿勢を維持するに足る幅面を有する面状体のものを用いる。
【００２９】
メインボード１は、固定式、移動式を問わず、上下動可能及び／又は傾倒可能なものであって差し支えなく（図５参照）、既設の昇降装置をそのまま用いることができる。また、メインボード１は、前後二重にした上げ下げ式のものや、左右引き分け式のものであってもよい。言うまでもなくそれらの場合は、サブボード７は前面側のメインボード１に取り付ける。
【００３０】
メインボード１及びサブボード７には、プロジェクター等の映写スクリーンの機能を持たせることができるが、好ましい実施形態においては、サブボード７（又はメインボード１）をスクリーン機能を有するものとすると共に、サブボード７（又はメインボード１）の上部（上枠）又は側部（側枠）に、先端にプロジェクター取付板２１を備えたアーム２２を設置する。
【００３１】
アーム２２は、例えば、一又は複数の屈曲部が形成されて折り畳み可能にされ、あるいは、途中に自在継ぎ手を有するものとされ、あるいは、捩り及び湾曲が可能な資材製とされる等により、アーム２２を適宜引き出して、プロジェクター取付板２１に取り付けるプロジェクター２３の吊り下げ角度及び水平旋回位置を変更することができるようにし、以てプロジェクター２３を、スクリーンとなるサブボード７（又はメインボード１）のボード面に向けることができるようにする。
【００３２】
また、他の実施形態においては、サブボード７（又はメインボード１）の枠部分に、ホワイトボードレコーダ２４が埋設等により設置される。このホワイトボードレコーダ２４は、それ専用の電子マーカーペンと組み合わせて使用するもので、その電子マーカーペンで、ホワイトボード仕様のサブボード７（又はメインボード１）に筆記すると、その筆記文字や絵が、ホワイトボードレコーダ２４を介し、電子データとしてリアルタイムにパソコンに転送・記憶されるものである。
【００３３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３４】
【図１】本発明に係る方法によって改修した多機能ボードの形態例を示す正面図である。
【図２】本発明に係る方法によって改修した多機能ボードにおけるガイドレールと転動ホイールを示す縦断面図である。
【図３】本発明に係る方法によって改修した多機能ボードの他の形態例を示す正面図である。
【図４】本発明に係る方法によって改修した多機能ボードの更に他の形態例を示す正面図である。
【図５】本発明に係る方法によって改修した多機能ボードの更に他の形態例を示す正面図である。
【符号の説明】
【００３５】
１        メインボード
１ａ      ボード面
４、５    ガイドレール
７        サブボード
７ａ      ボード面
８        転動ホイール
９        上枠
１０      下枠
１１      軸
１２      ホイール取付板
１３      ホイール
１４      ストッパー取付板
１５      ストッパー
１６      緩衝材
１７      スプリング
１８      ストッパー軸
２０      スタンド
２１      プロジェクター取付板
２２      アーム
２３      プロジェクター
２４      ホワイトボードレコーダー
【図１】
0005214217.tif 000002
【図２】
0005214217.tif 000003
【図３】
0005214217.tif 000004
【図４】
0005214217.tif 000005
【図５】
0005214217.tif 000006